(57)【要約】【課題】表示面に生じる構成物間の境目を目立たなくする。【解決手段】表示装置１は、液晶パネル等の表示体９１と、表示体９１の背面及び側面を保護するベゼル９２と、ベゼル９２の表面及び表示体９１の表面を覆うように配置された保護層１１を備える。保護層１１は、例えばアクリル系樹脂等の光を透過する基材の中に、内側から外側に向かい増加する濃度の、例えばカーボンブラック等の遮光素材を含有させたシート状部材である。表示装置１によれば、見る者にとって、表示面に表示体９１とベゼル９２の境目が現れず、一体感のある優れた美観がもたらされる。【選択図】図１
2019109298.tif 000002
【特許請求の範囲】
【請求項１】
画像が表示される表示面の端部の外側から内側に向かい光の透過率が増加する構成を備える表示装置。
【請求項２】
前記構成が保護層から成る
請求項１に記載の表示装置。
【請求項３】
前記保護層は光を透過する基材の中に場所により異なる濃度の遮光素材を含有させたシート状部材を有する
請求項２に記載の表示装置。
【請求項４】
前記保護層は光を透過する基材の表面に場所により異なる濃度の遮光素材を付着させたシート状部材を有する
請求項２に記載の表示装置。
【請求項５】
前記保護層は場所により異なる枚数の透過率が０％を超え１００％未満であるシート状部材を積層させた積層体を有する
請求項２に記載の表示装置。
【発明の詳細な説明】
【技術分野】
【０００１】
本発明は、表示部の美観を向上させる技術に関する。
【背景技術】
【０００２】
表示装置の表示部の美観を向上させる技術として、例えば特許文献１に記載の技術がある。特許文献１には、液晶表示素子と、液晶表示素子に裏面側から光を照射する発光ダイオードとの間に、中央部分が薄い平面形状で、周縁側に向かうに従い段階的に板厚が厚くなる立体形状の乳白色の透過板を備える表示装置が提案されている。特許文献１に記載の表示装置によれば、透過光による明暗と造形の立体感を合わせ持った斬新な見栄えの表示が行われる、という効果が謳われている。
【先行技術文献】
【特許文献】
【０００３】
【特許文献１】特開２００５−３０８６２２号公報
【発明の概要】
【発明が解決しようとする課題】
【０００４】
表示装置の表示面が、液晶パネル等の表示体と、表示体の外側（外周部）を覆う外装とを備える場合、表示動作を行っている表示体の背景色と外装の色を同一にすることができれば、表示体と外装との境目が目立たない表示面が実現され、優れた美観をもたらす。
【０００５】
しかしながら、表示体の背景色と外装の色を同一にすることは容易ではない。例えば、表示体の背景色と外装の色を共に黒とした場合であっても、表示体によって表示可能な黒を外装の色である黒と見分けが付かない程に一致させることは困難である。そのため、表示面を見る人に、表示体と外装の境目が見えてしまう。
【０００６】
例えば、表示面が対話型ロボットの顔面部を構成するような場合、表示体と外装の境目が目立つと、対話型ロボットが人工物であることをユーザに意識させてしまい望ましくない。
【０００７】
本発明は、上記の事情に鑑み、表示面に生じる構成物間の境目を目立たなくする手段を提供する。
【課題を解決するための手段】
【０００８】
上述した課題を解決するために、本発明は、画像が表示される表示面の端部の外側から内側に向かい光の透過率が増加する構成を備える表示装置を第１の態様として提供する。
【０００９】
上記の第１の態様に係る表示装置によれば、表示体と表示体の周辺の構成物の間の境目が目立たない。
【００１０】
上記の第１の態様に係る表示装置において、前記構成が保護層から成る、という構成が第２の態様として採用されてもよい。
【００１１】
上記の第２の態様に係る表示装置によれば、光の透過率が変化する保護層を用いることで、表示体と表示体の周辺の構成物の間の境目が目立たない表示装置が実現される。
【００１２】
上記の第２の態様に係る表示装置において、前記保護層は光を透過する基材の中に場所により異なる濃度の遮光素材を含有させたシート状部材を有する、という構成が第３の態様として採用されてもよい。
【００１３】
上記の第３の態様に係る表示装置によれば、透明な基材に遮光素材を場所により異なる濃度で含有させた保護層を用いることで、表示体と表示体の周辺の構成物の間の境目が目立たない表示装置が実現される。
【００１４】
上記の第２の態様に係る表示装置において、前記保護層は光を透過する基材の表面に場所により異なる濃度の遮光素材を付着させたシート状部材を有する、という構成が第４の態様として採用されてもよい。
【００１５】
上記の第４の態様に係る表示装置によれば、透明な基材の表面に場所により異なる濃度で遮光素材を印刷等により付着させた保護層を用いることで、表示体と表示体の周辺の構成物の間の境目が目立たない表示装置が実現される。
【００１６】
上記の第２の態様に係る表示装置において、前記保護層は場所により異なる枚数の透過率が０％を超え１００％未満であるシート状部材を積層させた積層体を有する、という構成が第５の態様として採用されてもよい。
【００１７】
上記の第５の態様に係る表示装置によれば、半透明のシート状部材を複数枚用いることで、表示体と表示体の周辺の構成物の間の境目が目立たない表示装置が実現される。
【図面の簡単な説明】
【００１８】
【図１】一実施形態に係る表示装置の積層関係模式図及び正面図。
【図２】一実施形態に係る表示装置の表示面の光の透過率を示したグラフ。
【図３】一変形例に係る表示装置の積層関係模式図及び正面図。
【図４】一変形例に係る表示装置の積層関係模式図及び正面図。
【図５】一変形例に係る表示装置の表示面の光の透過率を示したグラフ。
【図６】一変形例に係る表示装置の積層関係模式図。
【図７】一変形例に係る表示装置の積層関係模式図。
【図８】対比例に係る表示装置の積層関係模式図及び正面図。
【図９】対比例に係る表示装置の表示面の光の透過率を示したグラフ。
【発明を実施するための形態】
【００１９】
［対比例］
本発明は表示体とその周辺の構成物の境目が目立たない表示体を備える表示装置を提供する。本発明の一実施形態の説明に先立ち、対比のため従来技術に係る表示装置の例（対比例）を以下に説明する。
【００２０】
図８（Ａ）は対比例に係る表示装置９の構成部の積層関係を示した模式図であり、図８（Ｂ）は動作中の表示装置９の正面図（図８（Ａ）の矢印Ｅ方向に見た図）である。なお、図８（Ｂ）において、表示装置９は、例として、白の文字「Ａ」を表示している。
【００２１】
表示装置９は、液晶パネル等の表示体９１と、表示体９１の背面及び側面を保護するベゼル９２と、ベゼル９２の表面及び表示体９１の表面の周辺部を覆うように配置された外装９３を備える。動作中の表示体９１の背景色と外装９３の色は共に黒であるが、それらの色は微妙に異なっている。そのため、表示装置９の表示面には、図８（Ｂ）に示されるように、表示体９１と外装９３の境目が目立って見える。
【００２２】
図９は表示装置９の表示面の光の透過率を示したグラフである。なお、本願において、表示面とは、表示体と表示装置を見る者との間に配置される面を意味し、例えば表示装置９においては、図８（Ａ）の破線Ｓで示される位置の面である。図９の横軸は表示体９１の中央から図８（Ａ）に矢印Ｘで示す方向への距離を示し、縦軸は透過率を示す。
【００２３】
表示装置９の表示面における光の透過率は、外装９３が表示体９１を覆わない領域ｃ１において透過率が１００％であり、外装９３が表示体９１を覆う領域ｃ２において透過率が０％であり、その境目において透過率が非連続的に変化する。そのため、見る者にとって、図８（Ｂ）に示されるように、表示面において表示体９１と外装９３の境目がはっきりと見えてしまう。
【００２４】
［実施形態］
続いて、本発明の一実施形態に係る表示装置１を説明する。図１（Ａ）は表示装置１の構成部の積層関係を示した模式図であり、図１（Ｂ）は動作中の表示装置１の正面図（図１（Ａ）の矢印Ｅ方向に見た図）である。なお、図１（Ｂ）において、表示装置１は、例として、白の文字「Ａ」を表示している。また、これらの図において、表示装置１と表示装置９が共通して有する構成部には、共通の符号を付している。
【００２５】
表示装置１は、液晶パネル等の表示体９１と、表示体９１の背面及び側面を保護するベゼル９２と、ベゼル９２の表面及び表示体９１の表面を覆うように配置された保護層１１を備える。
【００２６】
図１（Ｂ）は保護層１１の正面図（図１（Ａ）の矢印Ｅ方向に見た図）である。保護層１１は、表示面の端部の外側から内側に向かい光の透過率が増加する構成を備える。具体的には、保護層１１は、例えばアクリル系樹脂等の光を透過する基材の中に、場所により異なる濃度、すなわち、内側から外側に向かい増加する濃度の、例えばカーボンブラック等の遮光素材を含有させたシート状部材である。
【００２７】
図２は表示装置１の表示面の光の透過率を示したグラフである。図２の横軸は表示体９１の中央から図１（Ａ）に矢印Ｘで示す方向への距離を示し、縦軸は透過率を示す。保護層１１の光の透過率は、中央の領域ａ１において１００％、周辺の領域ａ３において０％である。そして、領域ａ１と領域ａ３の間の領域ａ２において、外側から内側に向かい透過率が１００％から０％へと連続的に減少する。保護層１１の領域ａ１はベゼル９２の表面の全てを覆う。従って、ベゼル９２の光の透過率の如何にかかわらず、保護層１１の光の透過率が表示装置１の表示面における光の透過率となる。
【００２８】
図１（Ｃ）は動作中の表示体９１及びベゼル９２の正面図（図１（Ａ）の矢印Ｅ方向に見た図）である。なお、図１（Ｃ）において、表示装置１は、例として、白の文字「Ａ」を表示している。図１（Ｄ）は動作中の表示装置１の正面図（図１（Ａ）の矢印Ｅ方向に見た図）である。すなわち、図１（Ｄ）は、図１（Ｃ）で示される表示体９１及びベゼル９２のアセンブリの表面を覆うように、図１（Ｂ）で示される保護層１１を配置した状態を、矢印Ｅ方向に見た図である。
【００２９】
図１（Ｄ）に示されるように、表示装置１の表示面には表示体９１と表示体９１の周辺の構成物であるベゼル９２との境目が現れない。また、表示装置１は、対比例に係る表示装置９が備える外装９３に代えて、外側（周辺）から内側（中央）に向かい光の透過率が増加する保護層１１を備えているため、表示装置９の表示面において生じる表示体９１と外装９３の境目が生じることはない。
【００３０】
上述した表示装置１は、表示体とその周辺の構成物との境目が目立たない表示面を実現することによって、見る者に一体感のある優れた美観をもたらす。
【００３１】
［変形例］
上述した実施形態は様々に変形されてよい。以下にそれらの変形例を示す。なお、以下の変形例の２以上が適宜組み合わされてもよい。
【００３２】
（１）上述した実施形態において採用されている保護層は、光を透過する基材の中に、表示面の端部の外側から内側に向かい光の透過率が増加するように、内側から外側に向かい増加する濃度の遮光素材を含有させたシート状部材である。本発明において採用される保護層の構成はこれに限られず、表示面の端部の外側から内側に向かい光の透過率が増加するように表示体９１の表面を覆う部材であれば如何なる部材であってもよい。
【００３３】
図３（Ａ）は本変形例に係る表示装置２の構成部の積層関係を示した模式図であり、図３（Ｂ）は動作中の表示装置２の正面図（図３（Ａ）の矢印Ｅ方向に見た図）である。なお、図３（Ｂ）において、表示装置２は、例として、白の文字「Ａ」を表示している。また、これらの図において、表示装置２と表示装置９が共通して有する構成部には、共通の符号を付している。
【００３４】
表示装置２は、液晶パネル等の表示体９１と、表示体９１の背面及び側面を保護するベゼル９２と、ベゼル９２の表面及び表示体９１の表面を覆うように配置された保護層２１を備える。
【００３５】
保護層２１は、実施形態に係る表示装置１が備える保護層１１と同様に、表示面の端部の外側から内側に向かい光の透過率が増加する構成を備えるが、その構成が異なっている。具体的には、保護層２１は、例えばアクリル系樹脂等の光を透過する基材の表面（表示体９１及びベゼル９２に対向する側の表面）に、場所により異なる濃度、すなわち、内側から外側に向かい増加する濃度の、例えばカーボンブラック等の遮光素材を、例えば転写、吹き付け等により付着させたシート状部材である。
【００３６】
保護層２１を正面から見た状態は、保護層１１を正面から見た状態（図１（Ｂ））と同様であり、保護層２１における光の透過率の場所による変化は、保護層１１における光の透過率の場所による変化（図２）と同様である。その結果、図３（Ｂ）に示されるように、表示装置２によっても、表示体とその周辺の構成物との境目が目立たない表示面が実現される。
【００３７】
また、保護層２１は、例えば透明アクリル板等の光透過率の高いシート状部材に、インクジェットプリンタ等の印刷装置により印刷を行うことにより、容易に製造することができる。
【００３８】
なお、保護層２１において、遮光素材が付着される基材の面は表示体９１及びベゼル９２に対向する面に限られず、表示体９１及びベゼル９２に対向しない基材の面に遮光素材が付着されてもよい。
【００３９】
図４（Ａ）は表示装置２とは異なる変形例に係る表示装置３の構成部の積層関係を示した模式図であり、図４（Ｂ）は動作中の表示装置３の正面図（図４（Ａ）の矢印Ｅ方向に見た図）である。なお、図４（Ｂ）において、表示装置３は、例として、白の文字「Ａ」を表示している。また、これらの図において、表示装置３と表示装置９が共通して有する構成部には、共通の符号を付している。
【００４０】
表示装置３は、液晶パネル等の表示体９１と、表示体９１の背面及び側面を保護するベゼル９２と、ベゼル９２の表面及び表示体９１の表面を覆うように配置された保護層３１を備える。
【００４１】
保護層３１は、実施形態に係る表示装置１が備える保護層１１（及び表示装置２が備える保護層２１）と同様に、表示面の端部の外側から内側に向かい光の透過率が増加する構成を備えるが、その構成が異なっている。具体的には、保護層３１は、場所により異なる枚数の、半透明、すなわち光の透過率が０％を超え１００％未満であるシート状部材を積層させた積層体である。
【００４２】
図４（Ａ）の例では、中央の領域ｂ１における半透明のシート状部材の枚数は１枚であり、周辺の領域ｂ３における半透明のシート状部材の枚数は３枚であり、それらの間の領域ｂ２において半透明のシート状部材の枚数は２枚である。
【００４３】
これらの複数の半透明のシート状部材のうち、矢印Ｅから見た場合の最も手前のシート状部材３１１の光の透過率は約７５％であり、２番目のシート状部材３１２の光の透過率は約６６．７％であり、３番目のシート状部材３１３の光の透過率は約３７．５％である。
【００４４】
図５は表示装置３の表示面の光の透過率を示したグラフである。図５の横軸は表示体９１の中央から図４（Ａ）に矢印Ｘで示す方向への距離を示し、縦軸は透過率を示す。なお、図５において、領域ｂ３は保護層３１が表示体９１の表面を覆う領域ｂ３１と、保護層３１がベゼル９２の表面を覆う領域ｂ３２に区分されている。また、ベゼル９２の光の透過率は０％であることが想定されている。
【００４５】
表示装置３によっても、図４（Ｂ）に示されるように、表示体とその周辺の構成物との境目が目立たない表示面が実現される。また、保護層３１は、例えば半透明アクリル板等の光透過率が中程度のシート状部材を場所により異なる枚数だけ積層させることにより、容易に製造することができる。
【００４６】
なお、保護層３１を構成するシート状部材の枚数は３枚に限られない。また、保護層３１を構成するシート状部材の各々の光の透過率は上述したものに限られない。例えば、全てのシート状部材の光の透過率が７５％のように一定であってもよい。
【００４７】
（２）上述した実施形態において、表示体９１及びベゼル９２と保護層１１との間に外装はないものとしたが、表示体９１及びベゼル９２と保護層１１との間に外装があってもよい。この場合、光の透過率が最も高い領域が外装の表面を覆うことが望ましい。
【００４８】
（３）上述した実施形態又は変形例において、保護層の表示体９１及びベゼル９２に対向しない側の面は外部に晒されている。例えば、保護層に傷等が付かないように、保護層の表面をさらに透明なシート状部材等で覆ってもよい。図６は本変形例に係る表示装置４の構成部の積層関係を示した模式図である。なお、図６において、表示装置４と表示装置９が共通して有する構成部には、共通の符号を付している。
【００４９】
表示装置４は、液晶パネル等の表示体９１と、表示体９１の背面及び側面を保護するベゼル９２と、ベゼル９２の表面及び表示体９１の表面を覆うように配置された保護層４１と、保護層４１の表面を覆うように配置された保護層４２を備える。
【００５０】
保護層４１は、上述した一変形例に係る保護層２１の表面と裏面を逆にしたものである。すなわち、保護層４１は、例えばアクリル系樹脂等の光を透過する基材の表面（表示体９１及びベゼル９２に対向しない側の表面）に、場所により異なる濃度、すなわち、内側から外側に向かい増加する濃度の、例えばカーボンブラック等の遮光素材を、例えば転写、吹き付け等により付着させたシート状部材である。
【００５１】
保護層４２は、例えば薄いガラスシート等の、光の透過率が高く強度の高いシート状部材である。
【００５２】
表示装置４においては、保護層４１において基材の表面に付着している遮光素材が保護層４２により覆われているため、外力により遮光部材が基材から剥がれ落ちる危険性が低い。また、表示体９１が保護層４１と保護層４２の両方により保護されるため、外力により表示体９１が破損する危険性も低い。
【００５３】
（４）上述した実施形態又は変形例において、表示体９１の表面はその全てが保護層１１、２１、３１、又は保護層４１及び４２の積層体により覆われる。これに代えて、表示体９１の一部のみが、表示面の端部の外側から内側に向かい光の透過率が増加する部材により覆われる構成が採用されてもよい。
【００５４】
図７は本変形例に係る表示装置５の構成部の積層関係を示した模式図である。なお、図７において、表示装置５と表示装置９が共通して有する構成部には、共通の符号を付している。
【００５５】
表示装置５は、液晶パネル等の表示体９１と、表示体９１の背面及び側面を保護するベゼル９２と、ベゼル９２の表面及び表示体９１の表面の一部を覆うように配置されたシート状部材５１を備える。シート状部材５１は、上述した実施形態に係る表示装置１が備える保護層１１の中央の領域ａ１をくり抜いたものである。
【００５６】
表示装置５によっても、表示装置１と同様に、表示体とその周辺の構成物との境目が目立たない表示面が実現される。
【００５７】
（５）上述した実施形態において、表示装置１が備える表示面は平面であることが想定されているが、本発明に係る表示装置が備える表示面は曲面であってもよい。
【００５８】
（６）上述した実施形態において、保護層１１の表面にアンチグレア処理等の表面加工処理が施されていてもよい。
【００５９】
（７）上述した実施形態及び変形例において例示した具体的な数値、形状、素材等は例示であって、他の数値、形状等が採用されてもよい。例えば、表示体９１を正面から見た形状は矩形に限られず、例えば楕円等の他の形状であってもよい。
【００６０】
（８）上述した実施形態及び変形例の説明に用いた表示装置の構成部の積層関係を示した模式図（図１（Ａ）等）において、表示体９１及びベゼル９２と、その表面を覆う保護層又はシート状部材との間に空間が設けられている。この空間はなくてもよい。
【符号の説明】
【００６１】
１、２、３、４、５、９…表示装置
１１、２１、３１、４１、４２…保護層
５１…シート状部材
９１…表示体
９２…ベゼル
９３…外装
【図１】
2019109298.tif 000003
【図２】
2019109298.tif 000004
【図３】
2019109298.tif 000005
【図４】
2019109298.tif 000006
【図５】
2019109298.tif 000007
【図６】
2019109298.tif 000008
【図７】
2019109298.tif 000009
【図８】
2019109298.tif 000010
【図９】
2019109298.tif 000011